【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
コンピュータ装置であって、当該コンピュータ装置は、
第１のハウジングと、ヒンジを介して第１のハウジングに物理的且つ通信可能に結合されるディスプレイ装置と、第１のハウジング内に配置され且つ前記ディスプレイ装置上に表示を出力するように構成される１つ又は複数のディスプレイハードウェア要素とを含むディスプレイモジュール式コンポーネントと、
該ディスプレイモジュール式コンポーネントに物理的且つ通信可能に結合される第２のハウジングと、第２のハウジング内に配置された処理システム及びメモリとを含むコンピュータモジュール式コンポーネントと、を有しており、
前記処理システムは、前記メモリによって記憶された命令を実行して、前記ディスプレイモジュール式コンポーネントの前記ディスプレイ装置によって表示するためのユーザインターフェイスを生成するように構成され、前記処理システム及び前記メモリは、前記コンピュータモジュール式コンポーネントの第２のハウジング内で交換可能である、
コンピュータ装置。
【請求項２】
前記コンピュータモジュール式コンポーネントは、機械式アタッチメントを形成するために、キャビティを介して受容される１つ又は複数の突起部によって前記ディスプレイモジュール式コンポーネントに接続されるように構成され、それにより、軸ずれした取外し(off-axis  removal)によって、前記１つ又は複数の突起部の機械的結合をそれぞれの前記キャビティ内で生じさせる、請求項１に記載のコンピュータ装置。
【請求項３】
前記コンピュータモジュール式コンポーネントは、磁気アタッチメント装置による磁気取付け支持によって前記ディスプレイモジュール式コンポーネントに接続されるように構成される、請求項１に記載のコンピュータ装置。
【請求項４】
前記ディスプレイモジュール式コンポーネント及び前記コンピュータモジュール式コンポーネントは、前記ディスプレイモジュール式コンポーネント及び前記コンピュータモジュール式コンポーネントの熱管理を容易にするように構成された共通の空気導管を共有する、請求項１に記載のコンピュータ装置。
【請求項５】
前記ディスプレイモジュール式コンポーネントの第１のハウジング及び前記コンピュータモジュール式コンポーネントの第２のハウジングは、スタック可能な配置を有する、請求項１に記載のコンピュータ装置。
【請求項６】
前記ディスプレイモジュール式コンポーネントは、前記ディスプレイ装置が転倒することなく前記ヒンジを介して回転可能となるように、前記ディスプレイ装置の重量に反作用するのに十分な量の重量を有する、請求項１に記載のコンピュータ装置。
【請求項７】
前記コンピュータモジュール式コンポーネントに物理的且つ通信可能に結合するように構成された第３のハウジングを含むアクセサリモジュール式コンポーネントをさらに有する、請求項１に記載のコンピュータ装置。
【請求項８】
前記アクセサリモジュール式コンポーネントはバッテリを含み、該バッテリは、前記コンピュータ装置によって充電可能であり、前記コンピュータ装置から取り外し可能であり、取り外している間に異なるコンピュータ装置に電力を供給するために使用可能である、請求項７に記載のコンピュータ装置。
【請求項９】
前記ディスプレイモジュール式コンポーネントの前記ディスプレイ装置に物理的且つ通信可能に結合するように構成された第３のハウジングを含むナチュラル・ユーザインターフェイスモジュール式コンポーネントをさらに有する、請求項１に記載のコンピュータ装置。
【請求項１０】
前記ナチュラル・ユーザインターフェイスモジュール式コンポーネントは、ユーザの発言を検出するとともに、前記発言を前記コンピュータモジュール式コンポーネントに通信して前記ユーザの１つ又は複数の発声を認識するように構成されたマイクを含み、且つ画像を取り込むとともに、前記画像を前記コンピュータモジュール式コンポーネントに通信して１つ又は複数のジェスチャを認識するように構成されたカメラを含む、請求項９に記載のコンピュータ装置。
【請求項１１】
前記ナチュラル・ユーザインターフェイスモジュール式コンポーネントの前記カメラは、前記ディスプレイ装置の回転と協働して回転するように構成され、前記カメラの回転は、視線が前記コンピュータ装置のユーザと前記カメラとの間で維持されるように、前記ディスプレイ装置の回転に応答してユーザの介入なしで自動的に行われる、請求項１０に記載のコンピュータ装置。
【請求項１２】
前記ディスプレイモジュール式コンポーネントはまた、前記コンピュータモジュール式コンポーネントから分離されたときに、オペレーティングシステムを実行するように構成された処理システム及びメモリを含み、前記コンピュータモジュール式コンポーネントの前記処理システム及び前記メモリは、物理的及び通信可能に結合されたときに、前記ディスプレイモジュール式コンポーネントに追加の処理リソース及びメモリリソースを提供するように構成される、請求項１に記載のコンピュータ装置。
【請求項１３】
モジュール式コンピュータシステムであって、当該モジュール式コンピュータシステムは、
互いにスタック可能な配置を形成する複数のモジュール式コンポーネントを含み、
各モジュール式コンポーネントは、それぞれのハウジングを有しており、且つ交換可能な方法で前記スタック可能な配置の内外で交換可能であり、
前記スタック可能な配置は、複数のモジュール式コンポーネントの間に通信可能で且つ取り外し可能な結合を形成し、
前記複数のモジュール式コンポーネントは、コンピュータモジュール式コンポーネントのハウジングを有する少なくともコンピュータモジュール式コンポーネントを含み、前記コンピュータモジュール式コンポーネントのハウジングは、レセプタクルを含むように構成され、それぞれのレセプタクルは、前記コンピュータモジュール式コンポーネントのハウジングを交換することなく且つツールを使用することなく前記コンピュータモジュール式コンポーネントの機能を再構成するために、前記コンピュータモジュール式コンポーネントから交換可能なポッドを収容し、
前記ポッドは、少なくとも、
内部に配置された処理システムを含む処理システムポッドと、
内部に配置されたメモリを含むメモリポッドとを含む、
モジュール式コンピュータシステム。
【請求項１４】
前記スタック可能な配置の前記複数のモジュール式コンポーネントは、
前記モジュール式コンピュータシステムをディスプレイ装置に接続するように構成されたディスプレイハードウェア要素を含むディスプレイモジュール式コンポーネントと、
前記スタック可能な配置内で交換可能な無線通信装置を含む無線通信モジュール式コンポーネントと、
前記スタック可能な配置内で交換可能なグラフィック処理機能を含むグラフィック処理モジュール式コンポーネントとのうちの１つ又は複数をさらに有する、
請求項１３に記載のモジュール式コンピュータシステム。
【請求項１５】
方法であって、当該方法は、
複数のモジュール式コンポーネントを取得するステップであって、各モジュール式コンポーネントは、互いにスタック可能な配置を形成するように構成されたそれぞれのハウジングを有し、前記複数のモジュール式コンポーネントは、内部に配置された処理システム及びメモリを含むように構成された少なくともコンピュータモジュール式コンポーネントを含む、取得するステップと、
前記複数のモジュール式コンポーネントを積み重ねてコンピュータ装置を形成するステップと、
ツールを使用せずに前記コンピュータモジュール式コンポーネント内に配置された前記処理システム又は前記メモリの少なくとも一方を交換するステップであって、処理システムポッドが、前記コンピュータモジュール式コンポーネントの対応するレセプタクル内に前記処理システムを含み、メモリポッドが、前記コンピュータモジュール式コンポーネントの対応するレセプタクル内に前記メモリを含む、交換するステップと、を含む、
方法。
【請求項１６】
前記複数のモジュール式コンポーネントは、
前記スタック可能な配置内で交換可能な無線通信装置を含む無線通信モジュール式コンポーネントと、
前記複数のモジュール式コンポーネントのうちの１つに配置され且つ内部で交換可能な前記無線通信装置を含む無線通信ポッドと、
前記スタック可能な配置内で交換可能な、グラフィック処理機能を含むグラフィック処理モジュール式コンポーネントと、
前記複数のモジュール式コンポーネントのうちの１つに配置され且つ内部で交換可能なグラフィック処理機能を含むグラフィック処理ポッドとのうちの１つ又は複数をさらに含む、
請求項１５に記載の方法。
【請求項１７】
前記複数のモジュール式コンポーネントは、前記コンピュータ装置によって充電可能なバッテリを含むように構成されたバッテリモジュール式コンポーネントを含み、該バッテリモジュール式コンポーネントは、前記コンピュータ装置から取り外し可能であり、且つ前記スタック可能な配置にある間に又は前記スタック可能な配置から取り外されている間に、異なるコンピュータ装置に電力を供給するように使用可能である、
請求項１５に記載の方法。
【請求項１８】
前記複数のモジュール式コンポーネントを積み重ねるステップは、前記複数のモジュール式コンポーネントを互いに物理的に及び通信可能に結合するステップを含む、請求項１５に記載の方法。
【請求項１９】
前記物理的な結合は、磁気結合装置による磁気接続による結合である、請求項１８に記載の方法。
【請求項２０】
前記磁気結合装置は、磁束噴流（Flux  fountain）を含む、請求項１９に記載の方法。